(57)【要約】      （修正有）【課題】多方向操作のコントロールボタンユニットにおいて、多方向の押圧解除後のコントロールボタンの中立復帰性能を向上する。【解決手段】ボタンカバー１１０と、ウェイト１３０と、を備えるコントロールボタンユニット１００。ボタンカバーは、第１上面１１２と、底面１１４と、第1組立構造１１６とを有し、第１組立構造は底面に位置する。ウェイトは、対応する両側に位置する弧面１３２及び第２組立構造１３４を有し、第２組立構造は第１組立構造に組み付けられ、ウェイトの重さはボタンカバーの重さよりも重い。【選択図】図３
2020115448.tif 000002
【特許請求の範囲】
【請求項１】
第1上面と、底面と、前記底面に位置する第1組立構造とを有するボタンカバーと、
対応する両側に位置する弧面及び前記第1組立構造に組み付けられる第2組立構造を有し、重さが前記ボタンカバーよりも大きいウェイトと、
を備える、コントロールボタンユニット。
【請求項２】
前記ボタンカバーの前記底面に向かって設けられる回路基板をさらに備え、前記ウェイトが前記ボタンカバーと前記回路基板との間に位置し、前記弧面が前記回路基板に接触する請求項1に記載のコントロールボタンユニット。
【請求項３】
前記ボタンカバーは、前記第1組立構造を取り囲んで前記底面に設けられる複数のタッチロッドをさらに有する請求項2に記載のコントロールボタンユニット。
【請求項４】
前記回路基板は、複数のドームスイッチを有し、前記タッチロッドは前記ドームスイッチに対応して設けられる請求項3に記載のコントロールボタンユニット。
【請求項５】
前記第1組立構造及び前記第2組立構造のうちの一つは凹溝であり、前記第1組立構造及び前記第2組立構造のうちのもう一つは突柱であり、前記突柱と前記凹溝とは互いに嵌合する請求項1に記載のコントロールボタンユニット。
【請求項６】
前記ウェイトによって仮想直径を有する仮想球が形成され、前記ボタンカバーが第1上面を有し、前記ウェイトが第2上面を有し、前記第2組立構造が前記第2上面に設けられ、前記第2上面の直径が前記仮想直径よりも小さい請求項1に記載のコントロールボタンユニット。
【発明の詳細な説明】
【技術分野】
【０００１】
本発明は、コントロールボタンユニットに関する。
【背景技術】
【０００２】
従来、携帯型電子ゲーム装置は、方向指定ボタンを有するコントロールボタンユニットを使用して、キャラクター又は文字の移動方向を指定する。
【０００３】
現在、市場におけるコントロールボタン装置は、板金スプリングプレートによって押圧後のフィードバックの効果を得るか、または、ゴムボタンによって押圧後のフィードバックの効果を得る。
【発明の概要】
【０００４】
本発明は、押圧後のフィードバックの効果を向上させるコントロールボタンユニットを提供する。
【０００５】
本発明に係るコントロールボタンユニットは、ボタンカバーと、ウェイトと、を備える。ボタンカバーは、第1上面と、底面と、第1組立構造とを有し、第1組立構造が底面に位置する。ウェイトは、対応する両側に位置する弧面及び第2組立構造を有し、第2組立構造は第1組立構造に組み付けられ、ウェイトの重さはボタンカバーの重さよりも大きい。
【０００６】
本発明に係る一実施例において、ボタンカバーの底面に向かって設けられる回路基板をさらに備え、ウェイトはボタンカバーと回路基板との間に位置し、上記した弧面は回路基板に接触する。
【０００７】
本発明に係る一実施例において、上記したボタンカバーは、第1組立構造を取り囲んで底面に設けられる複数のタッチロッドをさらに有する。また、回路基板は、複数のドームスイッチ（metal dome switch）を有し、タッチロッドはドームスイッチに対応して設けられる。
【０００８】
本発明に係る一実施例において、上記した第1組立構造及び第2組立構造のうちの一つは凹溝であり、第1組立構造及び第2組立構造のうちのもう一つは突柱であり、突柱と凹溝とは互いに嵌合する。
【０００９】
本発明に係る一実施例において、ウェイトによって仮想直径を有する仮想球が形成され、ボタンカバーは第1上面を有し、ウェイトは第2上面を有し、第2組立構造は第2上面に設けられ、第2上面の直径は仮想直径よりも小さい。
【００１０】
上記に基づいて、本発明に係るコントロールボタンユニットでは、ウェイトの重さがボタンカバーの重さよりも大きいため、ユーザーがボタンカバーに力を加えるのをやめた後、ウェイトは、平衡を保つ原理に基づき、平衡状態から外れたボタンカバーを連れて元の位置へ戻る。そして、ウェイトによる平衡を保つ自動復帰は、押圧後のフィードバックの効果を向上させた。
【００１１】
本発明の上記した特徴及び利点を明確で分かりやすくするために、以下では、実施例を挙げて、添付図面を参照して詳細に説明する。
【図面の簡単な説明】
【００１２】
【図１】本発明に係るコントロールボタンユニットの模式図である。
【図２】図1におけるコントロールボタンユニットのボタンカバー及びウェイトの分解模式図である。
【図３】図1におけるA-A断面線に沿ったコントロールボタンユニットの模式図である。
【図４】ユーザーに押圧されたボタンカバーの模式図である。
【図５】ウェイトによって形成された仮想円の模式図である。
【発明を実施するための形態】
【００１３】
図1は、本発明に係るコントロールボタンユニットの模式図である。図2は、図1におけるコントロールボタンユニットのボタンカバー及びウェイトの分解模式図であって、図1の底面図でボタンカバーの周りのサイドカバーが省略された模式図である。図3は、図1におけるA-A断面線に沿ったコントロールボタンユニットの模式図である。
【００１４】
図1、図2及び図3を同時に参照すると、本実施例に係るコントロールボタンユニット100は、ボタンカバー110と、回路基板120と、ウェイト130と、を備える。ボタンカバー110は、第1上面112と、底面114と、第1組立構造116とを有し、第1上面112と底面114はボタンカバー110の対応する両側に位置し、第1組立構造116は底面114に位置する。回路基板120は、ボタンカバー110の底面114に向かって設けられる。ウェイト130は、ボタンカバー110と回路基板120との間に位置する。ウェイト130は、対応する両側に位置する弧面132及び第2組立構造134を有し、第2組立構造134は第1組立構造116に組み付けることが可能であり、ウェイト130の重さはボタンカバー110の重さよりも大きい。
【００１５】
本実施例において、ウェイト130の材質は金属であってもよく、ボタンカバー110の材質はプラスチックであってもよい。また、ウェイト130とボタンカバー110との間の重量差をより顕著にしてウェイト130によってコントロールボタンユニット100の平衡を維持する目的を達成するために、さらにボタンカバー110に中空のキャビティを形成することができる。
【００１６】
上記に従って、本例におけるボタンカバー110はキャラクター又は文字の移動方向を案内・指定するための十字ボタンであるが、ボタンカバー110の形態は、これに限定されておらず、一字ボタン又は円形ボタンの形態であってもよく、実際の必要に応じて設計される。
【００１７】
ウェイト130は、第2上面136を有し、第2組立構造134は第2上面136に設けられる。本実施例において、第1組立構造116は凹溝である。あるいは、より具体的には、第1組立構造116は中空の柱であり、第2組立構造134は、第1組立構造116と互いにマッチする突柱であり、突柱は凹溝に嵌合されるためのものである。
【００１８】
また、ボタンカバー110は、第1組立構造116を取り囲んで底面114に設けられる複数のタッチロッド118をさらに有する。本実施例において、ボタンカバー110が十字ボタンであるため、4つのタッチロッド118が設けられている。それに応じて、回路基板120には、4つのドームスイッチ122が設けられており、タッチロッド118はドームスイッチ122の位置に対応する位置に設けられる。
【００１９】
図3に示す実施形態において、ウェイト130の弧面132は、回路基板120の第3上面120aと直接的に接触する。ウェイト130の弧面132が回路基板120の第3上面120aと直接的に接触するため、ウェイト130の配置によって、コントロールボタンユニット100の重心は低くなり、ウェイト130の弧面132の配置によって、コントロールボタンユニット100が力学的に平衡である状態で、弧面132が回路基板120の第3上面120aに点接触し、4つのタッチロッド118が回路基板120の第3上面120aと同じ距離を維持し、4つのタッチロッド118がそれぞれに対応するドームスイッチ122に接触しない。
【００２０】
このコントロールボタンユニット100を使用してキャラクター又は文字の移動方向を案内・指定する場合、ユーザーは、十字ボタンの4つの末端のうちの一つを押圧することができる。
【００２１】
図4は、ユーザーに押圧されたボタンカバーの模式図である。図4を参照すると、ユーザーの押圧に伴い、ボタンカバー110は、ウェイト130の弧面132と回路基板120の第3上面120aとの接触点を回転中心として、押圧された前記末端が回路基板120に向かう方向に下向きに傾斜し、押圧されていない他の末端は、回路基板120から離れた方向に上向きに傾斜することで、押圧された前記末端に対応するタッチロッド118は、ドームスイッチ122を押圧して電気的に導通させ、キャラクター又は文字の移動方向を案内・指定する電気信号を送信する。
【００２２】
特に、本実施例におけるウェイト130は、半円球ではない。詳細的には、ウェイト130の弧面132を基準にして円形状の完全な仮想球を形成する場合、第2上面136の直径R1は、図5に示すように、仮想球の仮想直径R2よりも小さい。ウェイト130を半円球ではない形態に設計することで、ウェイト130の重心をウェイト130の相対的に低い位置に維持することが可能となる。
【００２３】
したがって、ユーザーが押圧を停止した後、コントロールボタンユニット100の重心が低い位置にあり、ウェイト130の弧面132が回路基板120の第3上面120aに接触するため、ウェイト130の自己調整に伴って力学的平衡状態に復帰し、ウェイト130は、ボタンカバー110を連れて元の位置へ戻る。
【００２４】
以上をまとめると、本発明に係るコントロールボタンユニットでは、ウェイトの配置によって、コントロールボタンユニットの重心が低くなるので、コントロールボタンユニットが外力を受けて平衡位置から外れた後、ウェイトの弧面によって、ボタンカバーがウェイトに連れられて平衡を保つように自動的に元の位置に復帰することが可能であり、この平衡を保つ復帰方式で押圧後のフィードバックの効果を向上させることができる。
【００２５】
以上、実施例によって本発明を説明したが、上記した実施例は、本発明を限定するものではない。当業者であれば、本発明の趣旨および範囲から逸脱することなく、幾つかの変更及び修飾を行うことができるので、本発明の範囲は、添付の特許請求の範囲によって規定されるものを基準とする。
【符号の説明】
【００２６】
100：  コントロールボタンユニット
110：  ボタンカバー
112：  第1上面
114：  底面
116：  第1組立構造
118：  タッチロッド
120：  回路基板
120a：  第3上面
122：  ドームスイッチ
130：  ウェイト
132：  弧面
134：  第2組立構造
136：  第2上面
R1、R2：  直径
【図１】
2020115448.tif 000003
【図２】
2020115448.tif 000004
【図３】
2020115448.tif 000005
【図４】
2020115448.tif 000006
【図５】
2020115448.tif 000007